(57)【特許請求の範囲】
【請求項１】
患者データを受信して表示する患者監視ステーションであって、
複数のペインを表示するディスプレイと、
前記複数のペインのうちの他のいずれのサイズにも影響を与えることなく、各ペインが、拡大された、ズームされたペインになるようにユーザによって選択可能であるよう、選択された患者データを各ペインが表示するように前記ディプレイを制御するようにプログラムされるコントローラとを有し、
前記拡大された、ズームされたペインに隣接する一つ以上のペインからの前記選択された患者データが臨界値に達することに応じて、前記コントローラが前記隣接する一つ以上のペイン上で警報を発し、
前記拡大された、ズームされたペインが、前記隣接する一つ以上のペインの一部分を覆い隠し、いずれの隣接するペイン上の警報も前記ユーザに見えるようにいずれの隣接するペインも完全には隠さないように、固定され、
前記ズームされたペインが他のペインよりも多くの量の情報を含む、
患者監視ステーション。
【請求項２】
前記ズームされたペインが、前記ユーザが拡大するために選択したペインの位置に固定される、請求項１に記載の患者監視ステーション。
【請求項３】
前記ズームされたペインがユーザによって移動可能である、請求項１に記載の患者監視ステーション。
【請求項４】
前記多くの量の情報が、他のペインに表示されるよりも長い波形を含む、請求項１に記載の患者監視ステーション。
【請求項５】
前記多くの量の情報が、他のペインよりも多数の表示されたパラメータを含む、請求項１に記載の患者監視ステーション。
【請求項６】
前記ズームされたペインが、前記ユーザが前記ズームされたペインの表示に影響を与えるコマンドを選択することができるアイコンツールバーを含む、請求項１に記載の患者監視ステーション。
【請求項７】
患者の少なくとも１つの生理学的パラメータを監視するための少なくとも１つのパラメータ監視装置と、
前記少なくとも１つのパラメータ監視装置からデータを一時的に保存し、前記データをリレーするための、少なくとも１つのデータバッファと、
前記少なくとも１つのバッファによってリレーされたデータを表示するための請求項１に記載の患者監視ステーションとを有する、患者監視ネットワーク。
【請求項８】
患者に関連する少なくとも１つの監視されたパラメータを、ディスプレイの複数のペインのうちの１つに表示するステップと、
前記複数のペインのうちの１つが、拡大された、ズームされたペインになるように選択されるステップと、
前記複数のペインのうちの他のいずれのサイズにも影響を与えることなく、前記ズームされたペインを拡大するステップと、
前記拡大された、ズームされたペインに隣接する一つ以上のペインからの前記選択された患者データが臨界値に達することに応じて、前記隣接する一つ以上のペイン上で警報を発するステップと、
前記拡大された、ズームされたペインを、いずれの隣接するペイン上の警報も前記ユーザに見えるように他のいずれのペインも完全に覆うことなく前記ディスプレイ上で前記隣接する一つ以上のペインの一部分を部分的に覆うように、固定するステップと、を有し、
前記ズームされたペインが他のペインよりも多くの量の情報を含む、
監視されたパラメータを表示する監視ステーションの作動方法。
【請求項９】
前記ズームされたペインを、前記ユーザが拡大するために選択したペインの位置に固定するステップをさらに含む、請求項８に記載の作動方法。
【請求項１０】
前記複数のペインのうちのいずれにも表示されない追加情報を前記ズームされたペインに表示するステップをさらに含む、請求項８に記載の作動方法。
【請求項１１】
追加情報を表示するステップが、より多くの量の波形情報を表示するステップを含む、請求項１０に記載の作動方法。
【請求項１２】
追加情報を表示するステップが、より多数のパラメータを表示するステップを含む、請求項１０に記載の作動方法。
【請求項１３】
現在のズームされたペインとやりとりするためにユーザが選択可能なアイコンを含むアイコンツールバーを前記ズームされたペイン上に表示するステップをさらに含む、請求項８に記載の作動方法。
【請求項１４】
コントローラによって発せられる警報状態に応じて、前記ズームされたペインの外観を変えるステップをさらに含む、請求項８に記載の作動方法。
【請求項１５】
ディスプレイと、請求項８に記載の作動方法を実行するように前記ディスプレイを制御するようにプログラムされるコントローラとを含む、監視ステーション。
【請求項１６】
患者の少なくとも１つの生理学的パラメータを監視するための複数の患者監視装置と、
少なくとも１つのパラメータ監視装置からデータを一時的に保存し、前記データをリレーするための、少なくとも１つのバッファと、
請求項１５に記載の監視ステーションとを有する、患者監視ネットワーク。
【請求項１７】
プロセッサにロードされるときに、請求項８に記載の作動方法を実行するように付属ディスプレイを制御するソフトウェアを持つ、コンピュータ可読媒体。
【発明の詳細な説明】
【技術分野】
【０００１】
本願は医療監視装置に関する。これは中央監視装置における患者情報のアクセス性を改良することに特定の応用を有し、特にこれに関連して記載される。しかし当然のことながら、本願は複数のデータセット又はパラメータを同時に表示するいかなるディスプレイ用にも使用されることができ、必ずしも前述の用途に限定されない。
【背景技術】
【０００２】
中央監視装置において、ディスプレイは複数の表示画面すなわちペインに分割され、各ペインは現在監視されている単一の患者の複数のパラメータをあらわす。現在、中央監視装置は、同時に他の患者のペインを見ながら、単一の患者のペインを拡大視することを可能にする。通常は、図１に示されるように、この表示は画面の下に位置し、一方他の表示ペインは表示画面の上部の残りの空間に押し込まれる。縮小したパネルは何とか読める程度になる。図示された実施例において、ベッド５の表示はディスプレイの下部において目立つようになるが、他の表示は全て元の領域の約半分に押し込まれる。
【発明の概要】
【発明が解決しようとする課題】
【０００３】
本願は上記の問題などを克服する新たな改良された中央監視装置ディスプレイを提供する。
【課題を解決するための手段】
【０００４】
一態様に従って、患者監視ステーションが提供される。監視ステーションは患者データを受信して表示する。ディスプレイは複数のペインを表示する。コントローラは、複数のペインのうちの他のいずれのサイズにも影響を与えることなく、各ペインが、拡大された、ズームされたペインになるようにユーザによって選択可能であるよう、選択された患者データを各ペインが表示するようにディスプレイを制御する。
【０００５】
別の態様に従って、監視されたパラメータを表示する方法が提供される。患者に関連する少なくとも１つの監視されたパラメータが、ディスプレイの複数のペインのうちの１つに表示される。複数のペインのうちの１つは、拡大された、ズームされたペインになるように選択される。ズームされたペインは複数のペインのうちの他のいずれのサイズにも影響を与えることなく拡大される。
【０００６】
別の態様に従って、各ペインが単一の患者に関連する、複数のペインを含むディスプレイ上に、複数の患者に関するデータをまとめる患者監視装置が提供される。監視装置は、複数のペインのうちの他のいずれのサイズも調節することなく、隣接ペインを部分的に隠すが、完全には隠さない、選択された下層ペインの位置に固定される、拡大された、ズームされたペインを含む。
【０００７】
１つの利点は、ユーザが他のペインを縮小することなく選択されたペインにズームインすることができることである。
【０００８】
別の利点は、拡大されたペインにあらわれるアイコンツールバーの有用性にある。
【０００９】
本発明のなおさらなる利点は、以下の詳細な説明を読んで理解することで当業者に理解されるだろう。
【００１０】
本発明は、様々な構成要素及び構成要素の配置、ならびに様々なステップ及びステップの配置で具体化し得る。図面は好ましい実施形態を例示する目的に過ぎず、本発明を限定するものと解釈されるものではない。
【図面の簡単な説明】
【００１１】
【図１】図１は既存の中央表示モニタの従来技術表現である。
【図２】図２は本願に従う中央表示モニタの概略図である。
【図３】図３はペインがズームされていない１２のペイン表示である。
【図４】図４は１つの角のペインがズームされている１２のペイン表示である。
【図５】図５は左列の二番目のペインがズームされている１２のペイン表示である。
【図６】図６は複数のアラームが作動されているディスプレイである。
【発明を実施するための形態】
【００１２】
図２を参照すると、中央監視ステーション１０は複数の患者ベッド１２を監視する。中央監視ステーション１０は、その名の通り、例えばナースステーションなど、好ましくは監視するベッド１２に関して中央に位置する。患者ベッド１２のうちの１つにいる各患者は、患者の生理学の様々なパラメータを監視する複数のセンサを持つ。これらのセンサは、ＥＣＧセンサ、ＩＶ輸液ポンプ、血圧センサ、ＳｐＯ２センサ、脈拍センサ、体温計、呼吸センサ、呼気ガスセンサを含むことができる。勿論、他のセンサが患者に関連することができ、上述のセンサ全てがいつでも患者に関連していなければならないとは限らない。
【００１３】
センサはローカルバッファ１４へ報告する。バッファ１４はセンサによって集められた全データに対する収集ポイントとして機能し、データ用の一時記憶装置を提供する。ローカルバッファ１４は、例えば患者とともに移動する患者のベッドサイドモニタであってもよい。ローカルバッファ１４はまた、特定のベッド、アルコーブ、又は部屋に常設的に関連した壁掛けモニタなど、より常設的な器具であってもよい。センサとローカルバッファ１４の間の通信リンクは、無線、有線、又は両方の組み合わせであってもよい。同様に、センサは、バッテリ、外部ＡＣ電源、又は両方の組み合わせによって駆動されてもよい。
【００１４】
そしてローカルバッファ１４は中央監視装置１０と通信する。コントローラ１６は、中央監視ステーション１０が関与する同数の患者ベッド１２の入力をバッファ１４から受信する。そしてコントローラ１６は、中央監視ステーション１０のディスプレイ１８にバッファ１４から受信した情報を表示するように指示する。中央監視ステーション１０はまた、ディスプレイ１８に表示されたデータをユーザが見る及び／又は操作することを可能にするユーザインターフェース２０も含む。インターフェース２０は別々の部品であるか、又はタッチスクリーンモニタを用いるなどしてディスプレイ１８に組み込まれることができる。バッファ１４と中央監視ステーション１０の間の通信リンクは無線であり得る。バッファ１４が、例えばＩＶスタンドに取り付けられるローカルモニタに具体化される場合、患者はごく近傍から離れることができるが、バッファ１４を持って行くことができる。バッファ１４と中央監視ステーション１０の間の無線通信は、患者の選択されたパラメータを監視することができる状態のまま、患者により大きな移動性を与える。バッファ１４がより常設的な器具に具体化される場合、バッファ１４と中央監視ステーション１０の間の通信リンクは、標準的なＥｔｈｅｒｎｅｔ（登録商標）ネットワークケーブルなど、有線であり得る。
【００１５】
前述の通り、コントローラ１６は様々なバッファ１４から受信した情報を表示するようにディスプレイ１８に指示する。ここで図３を参照すると、中央監視ステーション１０のディスプレイ１８はペイン２２に分割され、各ペイン２２は１つのバッファデバイス１４、すなわち１人の患者から受信した情報をあらわす。１２のペイン２２が図３に図示されているが、より多くの、又はより少ないペインもまた考えられる。中央監視ステーションあたりのペインの数は、ディスプレイ１８のサイズ、及び患者対中央監視ステーション１０の比率、及び他の因子によって決められ得る。
【００１６】
図示の通り、ディスプレイ１８の左上ペイン２２（及び残りのペイン２２）は、バッファ１４から受信した情報に対応する様々なサブディスプレイを持つ。例えばペイン２２は、患者の名前、ベッド又は部屋番号、及び他の識別情報、例えば固有の病院ＩＤなどが表示される、患者ＩＤサブディスプレイ２４を持つ。ＥＣＧサブディスプレイ２６は患者についてバッファ１４から受信した最新のＥＣＧ測定値を表示する。脈拍サブディスプレイ２８は患者の最新の脈拍測定値を表示する。ＳｐＯ２サブディスプレイ３０は患者からの最新の血液酸素化測定値を表示する。また、観血血圧（ＩＢＰ）、呼気終末ＣＯ２（ｅｔＣＯ２）、及び呼吸の表示もあり得る。通常は、空間の制約上、ペイン２２には３つ又は４つの値しか表示されることができない。追加ペインの各々は、別のペインが別の患者をあらわすことを除いて同様の情報を表示する。また、各ペインは独立して設定されることができる。
【００１７】
ここで図４を参照すると、インターフェース２０を用いることによって、ユーザはペイン２２のうちの１つを選択し、ズームされたペイン３２を見るためにこれを拡大することができる。タッチスクリーンの実施形態において、ユーザは拡大するためにペインに触ることができる。図４において、ユーザは左上ペインを選択し、これを拡大している。ズームされたペイン３２は、これが他のペイン２２よりも実質的に大きくなるように拡大されるが、他のいずれのペイン２２も完全に隠すことがないように位置付けられる。拡大されたペイン３２は各隣接ペインの一部を隠すが、全部は隠さない。図５において、ユーザは左側の上から二番目のペイン２２を拡大するために選択している。図４の角の拡大されたペイン３２と同様に、図５の拡大されたペイン３２は各隣接ペイン２２の一部を隠すが、全部は隠さない。
【００１８】
患者の監視されるパラメータのうちの１つ以上が臨界値にまで落ちる場合、コントローラ１６は通常、例えばペイン２２を異なる色に光らせるか、又は警報音を発するなど、あるいはこれらの組み合わせといった、警報を発する。図６を参照すると、ベッド３，５，６，７，８及び１２が警報を発しており、一方ベッド１，４及び１１は正常値を表示している。図４及び図５に示されるズームされたペイン３２は、現在拡大されていないペイン２２が、ズームされたペイン３２によって完全に隠されないため、このペイン２２上の警報をユーザが依然として見ることを可能にする。好ましくは、ズームされたペイン３２はその場で（ｉｎ‐ｐｌａｃｅ）拡大されて固定されるが、さもなければ別のペイン２２を完全に隠してしまう位置にこれを動かしてしまう可能性がある。随意に、ペインは動かすことができてもよいが、別のペインを完全に覆って位置付けられることができないように制約される。
【００１９】
再度図４及び図５を参照すると、ズームされたペイン３２の余分な空間は、通常サイズのペイン２２に表示されたパラメータのより大きな表示を可能にするだけでなく、追加パラメータの表示用の空間も可能にする。例えば、より大きなＥＣＧディスプレイ２６が収容されることができる。一実施形態において、ズームされたペイン３２はＥＣＧ波形を表示するために少なくとも３０ｍｍの垂直空間を可能にする。動脈圧ディスプレイ３４は患者の血圧を表示する。体温ディスプレイ３６は患者の現在又は最新の体温を表示する。気道呼吸サブディスプレイ３８は患者が呼吸する１分あたりの最新又は平均の回数を表示する。呼気終末ＣＯ２濃度サブディスプレイ４０は患者が吐き出しているＣＯ２の濃度を表示する。ここでもやはり、選択されたディスプレイのサイズ、及びどのディスプレイがズームされた波形に実際に表示されるかは、ユーザによってカスタマイズ可能である。
【００２０】
当然のことながら追加の又は他のパラメータが表示されることができ、前述のパラメータは例として提供されている。一実施形態においては、常時監視されることができるパラメータの全てが監視され、これは、そのペイン２２がズームされていないか、又はズームされたペイン３２によって隠されているために、パラメータが表示されていない時間を含む。表示されていないからといって、このパラメータが監視されていないとは限らない。従って、隠れたパラメータであっても、これが危機的状態に入ったことをプロセッサ１６が決定する場合は、警報を発することができる。
【００２１】
加えて、ペイン２２が選択されてズームされるとき、ユーザは、現在ズームされているペイン３２に関してさらなる制御とカスタマイズ性をユーザへ提供する選択可能なアイコンを表示するアイコンツールバー４２にアクセスする。例えば、アイコンツールバーは警報音アイコンを含み得る。ユーザは警報音をオン又はオフにするためにこのアイコンを切り替えることができる。一実施形態において、画面上の警報は常に使用可能である。別のアイコンは、現在のズームされたディスプレイ３２をユーザが印刷することを可能にするダイアログボックスを開く。別のアイコンは、ユーザがズームされたディスプレイの任意の部分をさらにズームすることを可能にする。一実施形態において、さらにズームされた部分は、他のペイン２２が完全に隠されてしまわないように、ズームされたペイン３２の境界を超えて拡大しない。別のアイコンは、ユーザが所定の患者のパラメータ監視をカスタマイズすることを可能にする。例えば、システムが現在３０分ごとに患者の血圧を測っているが、ユーザがより頻繁な更新を望む場合、ユーザは血圧が２０分ごとに、又は適切ないかなる頻度でも測定されるように設定することができる。また、ユーザがズームされたペイン３２を縮小して元のサイズに戻すために選択することができるアイコンも存在する。一実施形態において、ズームされたペイン３２はある不応期間の後に自動的に縮小する。特定の一実施形態において、ズームされたペイン３２は２分間の不応期間の後に自動的に縮小する。
【００２２】
本発明は好ましい実施形態に関して記載されている。前述の詳細な説明を読んで理解することで、修正及び変更が想起され得る。本発明は、こうした修正及び変更の全てを、添付の請求項又はその均等物の範囲内にある限りにおいて含むものと解釈されることが意図される。
【図１】
0005801057.tif 000002
【図２】
0005801057.tif 000003
【図３】
0005801057.tif 000004
【図４】
0005801057.tif 000005
【図５】
0005801057.tif 000006
【図６】
0005801057.tif 000007